(57)【要約】【課題】  ユーザが特別の操作をすることなく、携帯情報端末の通信状態に合せて出力装置の状態を切換えること。【解決手段】  携帯電話は、無線で通信するための無線通信部と、動画像を外部の出力装置に出力する映像処理部と、テレビ受像機を制御するための制御信号を出力する赤外線通信部と、映像処理部がフラッシュメモリに記録された動画像を出力しているとき（ステップＳ０１でＹＥＳ）に、無線通信部により着信があったことを条件に（ステップＳ０２でＹＥＳ）、赤外線通信部にテレビ受像機の状態を切換えるための制御信号を出力させる（ステップＳ０５）。【選択図】        図３
2005277729.tif 000002
【特許請求の範囲】
【請求項１】
無線で通信するための無線通信手段と、
動画像を外部の出力装置に出力する出力手段と、
前記出力装置を制御するための制御信号を出力する制御信号出力手段と、
前記出力手段が動画像を出力しているときに、前記無線通信手段により接続要求信号が受信されることを条件に、前記制御信号出力手段に前記出力装置の状態を切換えるための制御信号を出力させる制御手段とを備えた、携帯情報端末。
【請求項２】
無線で通信するための無線通信手段と、
動画像を外部の出力装置に出力する出力手段と、
前記出力手段が動画像を出力しているときに、前記無線通信手段により接続要求信号が受信されることを条件に、前記出力手段に対して動画像の出力を停止させる制御手段とを備えた、携帯情報端末。
【請求項３】
前記出力装置を制御するための制御信号を出力する制御信号出力手段をさらに備え、
前記制御手段は、前記出力手段が動画像を出力しているときに、前記無線通信手段により接続要求信号が受信さることを条件に、前記制御信号出力手段に前記出力装置の状態を切換えるための制御信号を出力させる、請求項２に記載の携帯情報端末。
【請求項４】
前記無線通信手段は、画像情報の送受信が可能であり、
前記制御手段は、前記無線通信手段が画像情報を送受信する場合には、前記出力手段に前記無線通信手段が受信した画像情報を出力させる、請求項２に記載の携帯情報端末。
【請求項５】
前記制御手段は、前記出力手段に前記無線通信手段が受信した画像情報を出力させるか否かを予め設定しておく設定手段を含み、
前記設定手段により出力させることが設定されていることを条件に、前記出力手段に前記無線通信手段が受信した画像情報を出力させる、請求項４に記載の携帯情報端末。
【請求項６】
前記制御手段は、前記無線通信手段により受信された前記接続要求信号が通話を開始するための着呼信号の場合には、前記着呼信号を受付けるユーザの受付指示の入力が受付けられたことをさらに条件とする、請求項１〜３のいずれかに記載の携帯情報端末。
【請求項７】
前記制御手段は、前記無線通信手段により受信された前記接続要求信号に対応したユーザの終了指示の入力が受付けられたことに応じて、前記出力手段に対して出力が停止された動画像の出力を再開させる、請求項２に記載の携帯情報端末。
【請求項８】
前記制御手段は、前記無線通信手段により受信された前記接続要求信号に対応したユーザの終了指示の入力が受付けられたことに応じて、前記出力手段に対して出力が停止された動画像を先頭位置から出力させる、請求項７に記載の携帯情報端末。
【請求項９】
前記制御手段は、前記無線通信手段により受信された前記接続要求信号に対応したユーザの終了指示の入力が受付けられたことに応じて、前記出力手段に対して出力が停止された動画像を停止位置から出力させる、請求項７に記載の携帯情報端末。
【請求項１０】
前記制御手段は、前記無線通信手段により受信された前記接続要求信号に対応したユーザの終了指示の入力が受付けられたことに応じて、前記制御信号出力手段に前記出力装置の状態を切換前の状態に切換えるための制御信号を出力させる、請求項１または３に記載の携帯情報端末。
【請求項１１】
前記制御手段は、前記制御信号出力手段に前記出力装置が電源をオフするための制御信号を出力させる、請求項１または３に記載の携帯情報端末。
【請求項１２】
前記制御手段は、前記制御信号出力手段に前記出力装置が出力する動画像を切換えるための制御信号を出力させる、請求項１または３に記載の携帯情報端末。
【請求項１３】
前記制御手段は、前記制御信号出力手段に前記出力装置が出力する動画像を、前記携帯情報端末から入力される動画像から他の装置から入力される動画像に切換えるための制御信号を出力させる、請求項１２に記載の携帯情報端末。
【請求項１４】
前記制御手段は、前記制御信号出力手段に前記出力装置が出力する音の量を少なくする、または音の出力を停止するための制御信号を出力させる、請求項１または３に記載の携帯情報端末。
【請求項１５】
前記制御手段は、前記制御信号出力手段に前記出力装置が出力する動画像の輝度を低くするための制御信号を出力させる、請求項１または３に記載の携帯情報端末。
【請求項１６】
動画像を入力するための入力手段をさらに備え、
前記出力手段は、前記入力手段により入力された動画像を出力し、
前記入力手段は、記録媒体に記録された動画像を読み出す読出手段と、外部から動画像を受信する受信手段との少なくとも１つを含む、請求項１または２に記載の携帯情報端末。
【請求項１７】
前記制御手段は、前記無線通信手段により受信される接続要求信号が予め定められた相手先からのものであることをさらに条件とする、請求項１または２に記載の携帯情報端末。
【請求項１８】
無線で通信するための無線通信手段と、
動画像を外部の出力装置に出力する出力手段と、
前記出力装置を制御するための信号を出力する制御信号出力手段とを備えたコンピュータで実行される出力制御プログラムであって、
前記出力手段に動画像を出力させるステップと、
前記無線通信手段により接続要求信号が受信されたことを検出するステップと、
前記出力手段が動画像を出力しているときに、前記無線通信手段により接続要求信号が検出されたことを条件に、制御信号出力手段に前記出力装置に対して、該出力装置の状態を切換えるための制御信号を出力させるステップとをコンピュータに実行させる、出力制御プログラム。
【請求項１９】
無線で通信するための無線通信手段と、
動画像を外部の出力装置に出力する出力手段とを備えたコンピュータで実行される出力制御プログラムであって、
前記出力手段に動画像を出力させるステップと、
前記無線通信手段により接続要求信号が受信されたことを検出するステップと、
前記出力手段が動画像を出力しているときに、前記無線通信手段により接続要求信号が検出されたことを条件に、前記出力手段に対して動画像の出力を停止させるステップとをコンピュータに実行させる、出力制御プログラム。
【請求項２０】
無線で通信するための無線通信手段と、
動画像を外部の出力装置に出力する出力手段と、
前記出力装置を制御するための信号を出力する制御信号出力手段とを備えたコンピュータで実行される出力制御方法であって、
前記出力手段に動画像を出力させるステップと、
前記無線通信手段により接続要求信号が受信されたことを検出するステップと、
前記出力手段が動画像を出力しているときに、前記無線通信手段により接続要求信号が検出されたことを条件に、前記制御信号出力手段に前記出力装置に対して、該出力装置の状態を切換えるための制御信号を出力させるステップとをコンピュータに実行させる、出力制御方法。
【請求項２１】
無線で通信するための無線通信手段と、
動画像を外部の出力装置に出力する出力手段とを備えたコンピュータで実行される出力制御方法であって、
前記出力手段動画像を出力させるステップと、
前記無線通信手段により接続要求信号が受信されたことを検出するステップと、
前記出力手段が動画像を出力しているときに、前記無線通信手段により接続要求信号が検出されたことを条件に、前記出力手段に対して動画像の出力を停止させるステップとをコンピュータに実行させる、出力制御方法。
【発明の詳細な説明】
【技術分野】
【０００１】
この発明は、携帯情報端末、出力制御プログラムおよび出力制御方法に関し、特にテレビ受像機等の出力装置に接続されて動画像を出力する携帯情報端末、コンピュータにより実行させる出力制御プログラムおよび出力制御方法に関する。
【背景技術】
【０００２】
テレビジョン受像機やビデオレコーダは、リモートコントローラで遠隔操作される。しかし、それぞれ独立して動作するため、ユーザは、テレビジョン受像機とビデオレコーダとに対して別々に操作しなければならい。テレビジョン受像機とビデオレコーダとを１つの操作で同時に操作する技術として、特開平１１−２７５５７号公報（特許文献１）がある。
【０００３】
特開平１１−２７５５７号公報には、テレビジョン受像機の外部入力端子に接続されたビデオのリモコンを操作して任意のキーが選択入力されると、リモコンから送信された信号がテレビジョン受像機の受信機を通じてマイコン内のリモコンキーメモリ部に保持される。その後、リモコンのリモコンの操作キーの中で選択入力されたキーが入力されると、リモコンから送信された信号が受信機にて受信され、リモコンキーメモリ部にて保持された信号と一致するか否かが判定される。一致しない場合、外部入力チャンネルはそのままであるが、一致する場合、マルチプレクサを動作させて、ビデオの出力信号が入力されるように外部入力チャンネルが切り替えられるリモコン操作型電子機器が記載されている。
【０００４】
一方、動画像を記録および再生可能な携帯情報端末が流通している。この携帯情報端末は、従来のビデオレコーダと同様にテレビジョン受像機と接続されて、再生した動画像をテレビジョン受像機に出力することができる。
【０００５】
しかしながら、特開平１１−２７５５７号公報に記載のリモコン操作型電子機器は、ユーザが必ずリモコンを操作する必要がある。動画像を記録および再生可能な携帯情報端末は、動画像の記録および再生する機能の他に通話機能を有する。このため、ユーザの意思に反して複数の機能が同時に有効となる場合がある。同時に２つの機能を有効とすると、ユーザに都合の悪い状態となる場合がある。たとえば、動画像を出力しながら通話する場合、動画像が出力されることにより発生する音が通話を妨げるといった問題がある。このため、ユーザは、通話を開始する際に、通話を開始する操作とテレビ受像機の電源をオフする操作との２つの操作を行わなければならず、操作が煩雑であった。
【特許文献１】特開平１１−２７５５７号公報
【発明の開示】
【発明が解決しようとする課題】
【０００６】
この発明は上述した問題点を解決するためになされたもので、この発明の目的の１つは、ユーザが特別の操作をすることなく、携帯情報端末の通信状態に合せて出力装置の状態を切換えることが可能な携帯情報端末、コンピュータにより実行される出力制御プログラムおよび出力制御方法を提供することである。
【０００７】
この発明の他の目的は、出力装置からの動画像の出力が、無線通信に悪影響を与えるのを防止することが可能な携帯情報端末、コンピュータにより実行される出力制御プログラムおよび出力制御方法を提供することである。
【０００８】
この発明のさらに他の目的は、無線通信と動画像の出力との２つの機能を有効に利用することが可能な携帯情報端末、コンピュータにより実行される出力制御プログラムおよび出力制御方法を提供することである。
【課題を解決するための手段】
【０００９】
上述した目的を達成するためにこの発明のある局面によれば、携帯情報端末は、無線で通信するための無線通信手段と、動画像を外部の出力装置に出力する出力手段と、出力装置を制御するための制御信号を出力する制御信号出力手段と、出力手段が動画像を出力しているときに、無線通信手段により接続要求信号が受信されることを条件に、制御信号出力手段に出力装置の状態を切換えるための制御信号を出力させる。
【００１０】
この発明に従えば、出力手段が動画像を出力すると、出力装置からその動画像が表示される。この状態で、接続要求信号が受信されると、出力装置の状態が切換えられる。接続要求信号は、たとえば、音声通話のための着呼信号、テレビ電話の通話のための着呼信号、および電子メールの受信を含む。このため、ユーザが特別の操作をすることなく、携帯情報端末の通信状態に合せて出力装置の状態を切換えることが可能な携帯情報端末を提供することができる。また、出力装置からの動画像の出力が、無線通信に悪影響を与えるのを防止することが可能な携帯情報端末を提供することができる。
【００１１】
この発明の他の局面によれば、携帯情報端末は、無線で通信するための無線通信手段と、動画像を外部の出力装置に出力する出力手段と、出力手段が動画像を出力しているときに、無線通信手段により接続要求信号が受信されることを条件に、出力手段に対して動画像の出力を停止させる制御手段とを備える。
【００１２】
この発明に従えば、出力手段が動画像を出力すると、出力装置からその動画像が表示される。この状態で、無線通信手段により接続要求信号が受信されると、出力装置への動画像の出力を停止する。このため、出力装置への動画像の出力よりも無線通信が優先され、無線通信している間に動画像が出力されることがない、その結果、無線通信と動画像の出力との２つの機能を有効に利用することが可能な携帯情報端末を提供することができる。
【００１３】
好ましくは、出力装置を制御するための制御信号を出力する制御信号出力手段をさらに備え、制御手段は、出力手段が動画像を出力しているときに、無線通信手段により接続要求信号が受信さることを条件に、制御信号出力手段に出力装置の状態を切換えるための制御信号を出力させる。
【００１４】
この発明に従えば、出力装置から動画像が出力されているときに、接続要求信号が受信されると、出力装置への動画像の出力を停止するとともに、出力装置の状態を切換える。このため、出力装置からの動画像の出力が、無線通信に悪影響を与えるのを防止することができる。
【００１５】
好ましくは、無線通信手段は、画像情報の送受信が可能であり、制御手段は、無線通信手段が画像情報を送受信する場合には、出力手段に無線通信手段が受信した画像情報を出力させる。
【００１６】
この発明に従えば、無線通信手段が画像情報を送受信する場合には、通信手段が受信した画像情報が出力装置から出力される。このため、出力装置の状態を切換えるための操作をすることなく、出力装置を無線通信に用いることができる。
【００１７】
好ましくは、制御手段は、出力手段に無線通信手段が受信した画像情報を出力させるか否かを予め設定しておく設定手段を含み、設定手段により出力させることが設定されていることを条件に、出力手段に無線通信手段が受信した画像情報を出力させる。
【００１８】
この発明に従えば、無線通信手段が受信した画像情報を出力手段に出力させることが設定されていることを条件に、出力装置から無線通信手段が受信した画像情報が出力される。このため、出力装置を無線通信に用いるか否かにユーザの意思を反映することができる。
【００１９】
好ましくは、制御手段は、無線通信手段により受信された接続要求信号が通話を開始するための着呼信号の場合には、着呼信号を受付けるユーザの受付指示の入力が受付けられたことをさらに条件とする。
【００２０】
この発明に従えば、接続要求信号が通話を開始するための着呼信号の場合には、着呼信号を受付けるユーザの受付指示の入力が受付けられたことをさらに条件として、制御信号が出力される。着呼信号を受付けるユーザの受付指示とは、通話開始の指示であり、通信を開始させる指示であるオフフック指示を含む。
【００２１】
好ましくは、制御手段は、無線通信手段により受信された接続要求信号に対応したユーザの終了指示の入力が受付けられたことに応じて、出力手段に対して出力が停止された動画像の出力を再開させる。
【００２２】
この発明に従えば、接続要求信号に対応したユーザの終了指示が入力されると、出力装置から出力が停止された動画像の出力が再開される。接続要求信号に応答したユーザの終了指示とは、たとえば、接続要求信号が着呼信号の場合に着呼信号に対する応答保留指示、接続要求信号に対する通話の終了指示（オンフック指示）、または、接続要求信号が電子メールの場合には受信した電子メールの閲覧などである。これにより、ユーザの終了指示の入力により、接続要求信号に対応して中断した動画出力を再開させることができるので、ユーザがいちいち動画出力を再度指示するといった煩雑な操作を回避でき、出力が中断された動画像を、無線通信の終了後に出力装置を操作することなく再開することができ、操作の利便性を格段に向上させることができる。
【００２３】
好ましくは、制御手段は、無線通信手段により受信された接続要求信号に対応したユーザの終了指示の入力が受付けられたことに応じて、出力手段に対して出力が停止された動画像を先頭位置から出力させる。
【００２４】
この発明に従えば、接続要求信号に対応したユーザの終了指示が入力されると、出力装置から出力が停止された動画像の先頭位置から出力される。接続要求信号に応答したユーザの終了指示とは、上記と同様である。これにより、ユーザの終了指示の入力により、接続要求信号に対応して中断した動画像が、先頭位置から再度出力されるので、無線通信手段により受信された接続が長時間に及び場合や動画を再度視聴したいときには、ユーザがいちいち動画の先頭位置から出力させる指示を行わなければならないといった煩雑さを回避でき、使い勝手を格段に向上させることができる。
【００２５】
好ましくは、制御手段は、無線通信手段により受信された接続要求信号に対応したユーザの終了指示の入力が受付けられたことに応じて、出力手段に対して出力が停止された動画像を停止位置から出力させる。
【００２６】
この発明に従えば、接続要求信号に対応したユーザの終了指示が入力されると、出力装置から出力が停止された動画像が停止位置から出力される。接続要求信号に応答したユーザの終了指示とは、上記と同様である。これにより、出力が中断された動画像を、無線通信の終了後に出力装置を操作することなく中断前の続きから出力することができる。
【００２７】
好ましくは、制御手段は、無線通信手段により受信された接続要求信号に対応したユーザの終了指示の入力が受付けられたことに応じて、制御信号出力手段に出力装置の状態を切換前の状態に切換えるための制御信号を出力させる。
【００２８】
この発明に従えば、接続要求信号に対応したユーザの終了指示の入力が受付けられたことに応じて、出力装置の状態が切換前の状態に切換えられる。これにより、無線通信中に状態が切換えられた出力装置の状態を、出力装置を操作することなく無線通信の終了後に中断前の状態に切換えることができる。
【００２９】
好ましくは、制御手段は、制御信号出力手段に出力装置が電源をオフするための制御信号を出力させる。
【００３０】
好ましくは、制御手段は、制御信号出力手段に出力装置が出力する動画像を切換えるための制御信号を出力させる。
【００３１】
好ましくは、制御手段は、制御信号出力手段に出力装置が出力する動画像を、携帯情報端末から入力される動画像から他の装置から入力される動画像に切換えるための制御信号を出力させる。
【００３２】
他の装置とは、たとえば、テレビチューナ、ビデオレコーダなどである。
【００３３】
好ましくは、制御手段は、制御信号出力手段に出力装置が出力する音の量を少なくする、または音の出力を停止するための制御信号を出力させる。
【００３４】
この発明に従えば、出力装置が出力する音の量を少なくする、または音声出力が停止するので、出力装置が出力する音により通話が妨げられるのを防止できる。
【００３５】
好ましくは、制御手段は、制御信号出力手段に出力装置が出力する動画像の輝度を低くするための制御信号を出力させる。
【００３６】
この発明に従えば、出力装置を見るユーザは、無線通信の開始が要求されていることを知ることができる。
【００３７】
好ましくは、動画像を入力するための入力手段をさらに備え、出力手段は、入力手段により入力された動画像を出力し、入力手段は、記録媒体に記録された動画像を読み出す読出手段と、外部から動画像を受信する受信手段との少なくとも１つを含む。
【００３８】
この発明に従えば、外部に出力する動画像は、記録媒体に予め記録された動画像、また無線通信手段以外の受信手段（例えばテレビ放送電波の受信装置やパケット通信による動画像データ受信装置）で受信された動画像とされる。
【００３９】
好ましくは、制御手段は、無線通信手段により受信される接続要求信号が予め定められた相手先からのものであることをさらに条件とする。
【００４０】
この発明に従えば、予め定められた相手先からの接続要求信号が受信されることを条件として、出力装置の状態が切換えられる、または、動画像の出力が停止される。このため、ユーザが予め定めた相手先からの接続要求信号が受信されたときに限って、出力装置の状態を切換えたり、動画像の出力を停止したりすることができる。
【００４１】
この発明のさらに他の局面によれば、出力制御プログラムは、無線で通信するための無線通信手段と、出力装置を制御するための信号を出力する制御信号出力手段とを備えたコンピュータで実行される出力制御プログラムであって、出力手段に動画像を出力させるステップと、無線通信手段により接続要求信号が受信されたことを検出するステップと、出力手段が動画像を出力しているときに、無線通信手段により接続要求信号が検出されたことを条件に、制御信号出力手段に出力装置に対して、該出力装置の状態を切換えるための制御信号を出力させるステップとをコンピュータに実行させる。
【００４２】
この発明に従えば、ユーザが特別の操作をすることなく、携帯情報端末の通信状態に合せて出力装置の状態を切換えることが可能な出力制御プログラムを提供することができる。また、出力装置からの動画像の出力が、無線通信に悪影響を与えるのを防止することが可能な出力制御プログラムを提供することができる。
【００４３】
この発明のさらに他の局面によれば、出力制御プログラムは、無線で通信するための無線通信手段と、動画像を外部の出力装置に出力する出力手段とを備えたコンピュータで実行される出力制御プログラムであって、出力手段に動画像を出力させるステップと、無線通信手段により接続要求信号が受信されたことを検出するステップと、出力手段が動画像を出力しているときに、無線通信手段により接続要求信号が検出されたことを条件に、出力手段に対して動画像の出力を停止させるステップとをコンピュータに実行させる。
【００４４】
この発明に従えば、無線通信と動画像の出力との２つの機能を有効に利用することが可能な出力制御プログラムを提供することができる。
【００４５】
この発明のさらに他の局面によれば、出力制御方法は、無線で通信するための無線通信手段と、動画像を外部の出力装置に出力する出力手段と、出力装置を制御するための信号を出力する制御信号出力手段とを備えたコンピュータで実行される出力制御方法であって、出力手段動画像を出力させるステップと、無線通信手段により接続要求信号が受信されたことを検出するステップと、出力手段が動画像を出力しているときに、無線通信手段により接続要求信号が検出されたことを条件に、制御信号出力手段に出力装置に対して、該出力装置の状態を切換えるための制御信号を出力させるステップとをコンピュータに実行させる。
【００４６】
この発明に従えば、ユーザが特別の操作をすることなく、携帯情報端末の通信状態に合せて出力装置の状態を切換えることが可能な出力制御方法を提供することができる。また、出力装置からの動画像の出力が、無線通信に悪影響を与えるのを防止することが可能な出力制御方法を提供することができる。
【００４７】
この発明のさらに他の局面によれば、出力制御方法は、無線で通信するための無線通信手段と、動画像を外部の出力装置に出力する出力手段とを備えたコンピュータで実行される出力制御方法であって、出力手段に動画像を出力させるステップと、無線通信手段により接続要求信号が受信されたことを検出するステップと、出力手段が動画像を出力しているときに、無線通信手段により接続要求信号が検出されたことを条件に、出力手段に対して動画像の出力を停止させるステップとをコンピュータに実行させる。
【００４８】
この発明に従えば、無線通信と動画像の出力との２つの機能を有効に利用することが可能な出力制御方法を提供することができる。
【発明を実施するための最良の形態】
【００４９】
以下、本発明の実施の形態について図面を参照して説明する。以下の説明では、同一の部品には同一の符号を付してある。それらの名称および機能も同じである。したがってそれらについての詳細な説明は繰返さない。
【００５０】
図１は、本発明の実施の形態の１つにおける携帯電話１００の概観斜視図である。図１（Ａ）は、利用者の操作面側から見た携帯電話の外観を示す図である。図１（Ｂ）は、携帯電話の操作面の背面側から見た携帯電話の外観を示す図である。
【００５１】
図１（Ａ）および図１（Ｂ）を参照して、携帯電話１００は、アンテナ１３５を備えた第１の筐体１２１と、第２の筐体１２３とを含む。第１の筐体１２１と第２の筐体１２３とは、接続部１２２により回動自在に接続される。
【００５２】
第１の筐体１２１は、スピーカ１２５と、内側液晶表示装置１２７Ａと、内部カメラ１２９Ａとが配置され、内側液晶表示装置１２７Ａに対向する裏面には、外部カメラ１２９Ｂと外側液晶表示装置１２７Ｂとが配置され、側面には赤外線通信部１４０が配置される。第２の筐体１２３は、操作ボタン１３１Ａと、数字ボタン１３１Ｂと、マイク１３３とが配置され、操作ボタン１３１Ａの裏面には、映像入出力部１３８が配置され、側面にフラッシュメモリ１３７を挿入するための挿入口１３９を備える。
【００５３】
内部カメラ１２９Ａおよび外部カメラ１２９Ｂは、たとえばＣＣＤ（Charge Coupled Device）を含む。
【００５４】
第１の筐体１２１と第２の筐体１２３とは、接続部１２２を回転軸として回動する。これにより携帯電話１００は、第１の筐体１２１の内側液晶表示装置１２７Ａと第２の筐体１２３の数字ボタン１３１Ｂとが互いに向き合う状態で折りたたまれる。携帯電話１００を折りたたんだ状態では、外部カメラ１２９Ｂおよび外側液晶表示装置１２７Ｂが有効とされ、携帯電話１００を開いた状態では、内部カメラ１２９Ａおよび内側液晶表示装置１２７Ａが有効とされる。なお、内部カメラ１２９Ａと外部カメラ１２９Ｂとのいずれを有効にするか、または、内側液晶表示装置１２７Ａと外側液晶表示装置１２７Ｂとのいずれを有効とするかは、携帯電話１００の開閉状態の条件に限られず、他の条件、たとえば、開いた状態で操作ボタン１３１Ａの押下などにより、外部カメラ１２９Ｂおよび外側液晶表示装置１２７Ｂを有効にするようにしてもよい。
【００５５】
なお、本実施形態では、いわゆる折り畳み型の携帯電話について例示しているが、ストレートタイプであっても良いし、２軸タイプ（接続部１２２の回転軸心方向と垂直方向に第２の回動軸を設け、第１の筐体１２１を回動自在に設ける）であっても良い。
【００５６】
操作ボタン１３１Ａは、内側液晶表示装置１２７Ａに表示されたカーソルを移動させるための移動ボタン、確定した指示を入力するための決定ボタン等を含む。数字ボタン１３１Ｂは、数字、文字または記号を入力するためのボタンである。数字ボタン１３１Ｂは、０〜９までの数字と、「＊」および「＃」の記号が付された合計１２のボタンからなる。各ボタンには、アルファベット、かな、または記号が割当てられており、入力モードの切換により、数字入力、かな入力が可能となっている。
【００５７】
映像入出力部１３８には、その一端がテレビ受像機１５０と接続されたケーブル１５１の他端が接続される。ケーブル１５１は、一端がテレビ受像機１５０の映像入力端子および音声入力端子に接続される。テレビ受像機１５０は、携帯電話１００から動画像を受信して、動画像と音声を出力する。したがって、映像入出力部１３８は、テレビ受像機１５０とケーブル１５１で接続された状態において、テレビ受像機１５０に動画像と音声とを出力する。なお、ここでは、携帯電話１００をテレビ受像機１５０と接続したが、チューナを有しない画像を表示可能な表示装置と、音声を出力するスピーカと接続するようにしてもよい。また、携帯電話１００内にテレビ放送の受信部や、配信された動画像データを受信できる別の通信手段（例えば無線ＬＡＮなど）を備え、外部モニターである表示装置に出力できる構成であっても良い。
【００５８】
赤外線通信部１４０は、テレビ受像機１５０との間で赤外線を用いた通信を行う。テレビ受像機１５０は、通常はリモートコントローラにより遠隔制御される。このリモートコントローラによるテレビ受像機１５０の制御は、赤外線を用いた通信が用いられる。赤外線通信部１４０は、テレビ受像機１５０のリモートコントローラが出力するのと同様の制御信号を出力する。したがって、赤外線通信部１４０から、制御信号が出力されると、その制御信号に従ってテレビ受像機１５０は状態を切換える。テレビ受像機１５０の状態の切換えは、音量の切換え、テレビ受像機１５０が有するチューナで受信する放送チャンネルの切換え、テレビ受像機１５０が受信する動画像の入力先の切換え（たとえば、外部入力からチューナからの入力への切換え）、出力する画像の輝度の切換えを含む。なお、ここでは、赤外線通信部１４０は、赤外線で制御信号を出力する例を示したが、赤外線のほかに、たとえば、超音波、電磁波などを出力するものであってもよい。ようするに、テレビ受像機１５０を遠隔操作するリモートコントローラが出力する制御信号と同じ制御信号を出力するものであればよい。
【００５９】
図２は、携帯電話１００の機能を示す機能ブロック図である。図２を参照して、携帯電話１００は、それぞれがバス１１７に接続された、携帯電話１００の全体を制御するための制御部１０１と、制御部１０１で実行するプログラムを記憶するＲＯＭ（Read Only memory）１０４と、予め定められた初期値等を記憶するＥＥＰＲＯＭ（electrically erasable/programable read only memory）１０２と、マイク１３３およびスピーカ１２５に接続されたデータ処理部１０３と、内部カメラ１２９Ａおよび外部カメラ１２９Ｂに接続された画像処理部１１１と、フラッシュメモリ１３７が接続される記憶部１１３と、映像入出力部１３８と接続される映像処理部１１５と、内側液晶表示装置１２７Ａおよび外側液晶表示装置１２７Ｂと接続される表示制御部１０７と、操作ボタン１３１Ａおよび数字ボタン１３１Ｂと接続される入力制御部１０９と、赤外線通信部１４０とを含む。
【００６０】
携帯電話１００は、さらに、データ処理部１０３に接続された通信制御部１０５を含む。通信制御部１０５は、アンテナ１３５と接続される。通信制御部１０５は、携帯電話の基地局と無線通信する。通信制御部１０５は、基地局から受信した信号をデータ処理部１０３に出力し、データ処理部１０３から受信した信号を基地局に送信する。通信制御部１０５は、基地局から通話の開始を要求する着呼信号を受信した場合には、着呼信号をデータ処理部１０３に出力する。通信制御部１０５は、基地局から電子メールを受信した場合には、電子メールをデータ処理部１０３に出力する。着呼信号の受信および電子メールの受信は、携帯電話１００に無線通信の接続を要求する接続要求信号の受信である。
【００６１】
データ処理部１０３は、制御部１０１により制御される。データ処理部１０３は、マイク１３３から入力された音声信号をデジタル信号に変換して、デジタル信号に所定の圧縮処理を施して通信制御部１０５に出力する。また、通信制御部１０５から入力される音声信号を伸張し、アナログ信号に変換してスピーカ１２５に出力する。通信制御部１０５から受信された画像データを記憶部１１３に記憶する。さらに、通信制御部１０５から電子メールが入力される場合には、入力された電子メールを記憶部１１３に記憶する。
【００６２】
画像処理部１１１は、制御部１０１により制御される。画像処理部１１１は、制御部１０１からの指示に従って、内部カメラ１２９Ａまたは外部カメラ１２９Ｂそれぞれで撮像して得られる画像データを内部カメラ１２９Ａまたは外部カメラ１２９Ｂから入力する。そして、画像処理部１１１は、入力された画像データをＪＰＥＧ（joint photographic experts group）、ＭＰＥＧ（moving picture experts group）等の圧縮方式で圧縮して記憶部１１３に記憶する。
【００６３】
記憶部１１３には、フラッシュメモリ１３７が装着される。記憶部１１３は、制御部１０１により制御され、制御部１０１からの指示に従って、装着されたフラッシュメモリ１３７にデータの書き込み、または、フラッシュメモリ１３７からそれに記憶されたデータを読み出す。フラッシュメモリ１３７に動画像が記録されている場合には、記憶部１１３は、その動画像を読み出すことが可能である。
【００６４】
表示制御部１０７は、制御部１０１により制御される。表示制御部１０７は、制御部１０１からの指示に従って、内側液晶表示装置１２７Ａおよび外側液晶表示装置１２７Ｂのいずれか又は両方に映像信号を出力する。映像信号は、動画像および静止画像を含む。
【００６５】
映像処理部１１５は、制御部１０１により制御される。映像処理部１１５は、制御部１０１からの指示に従って、映像入出力部１３８より入力された動画像と音声とを、デジタル信号に変換し、たとえばＭＰＥＧ２などの圧縮方式で圧縮して記憶部１１３に記憶する。また、制御部１０１からの指示に従って、記憶部１１３に記憶されている圧縮データを伸張して、動画像と音声を映像入出力部１３８に出力する。映像入出力部１３８は、ケーブル１５１でテレビ受像機１５０と接続されているため、映像入出力部１３８に入力された動画像と音声は、テレビ受像機１５０に出力されて、テレビ受像機１５０から出力される。また、携帯電話１００が、テレビ放送の受信部、配信された動画像データを受信できる別の通信手段（例えば無線ＬＡＮなど）を備える場合には、映像処理部１１５は、制御部１０１からの指示に従って、それらにより受信された動画像を映像入出力部１３８に出力するようにしてもよい。
【００６６】
映像処理部１１５は、また、通信制御部１０５で受信された画像を、映像入出力部１３８に出力する。通信制御部１０５で受信された画像は、静止画と動画とを含む。通信制御部１０５が受信する画像は、テレビ電話の通信を実行する場合に受信される画像、電子メールに添付された画像が含まれる。これらの画像が、映像入出力部１３８からテレビ受像機１５０に出力されて、テレビ受像機１５０で出力される。
【００６７】
入力制御部１０９は、制御部１０１により制御される。入力制御部１０９は、制御部１０１からの指示に従って、操作ボタン１３１Ａおよび数字ボタン１３１Ｂからの入力を受付ける。入力制御部１０９は、操作ボタン１３１Ａおよび数字ボタン１３１Ｂからの入力の受付けに応じて、各ボタンに予め割当てられた入力信号を制御部１０１に出力する。
【００６８】
赤外線通信部１４０は、制御部１０１により制御される。赤外線通信部１４０は、制御部からの指示に従って、テレビ受像機１５０を制御するための制御信号を出力する。制御信号には、テレビ受像機１５０の状態を切換えるための信号であり、たとえば、次のものが挙げられる。
【００６９】
（１）テレビ受像機１５０の電源をオンまたはオフするための制御信号。
【００７０】
（２）テレビ受像機１５０の音量を変更するための制御信号。
【００７１】
（３）テレビ受像機１５０が有するチューナのチャンネルを変更するための制御信号。
【００７２】
（４）テレビ受像機１５０が出力する画像の入力先を指定するための制御信号。入力先は、テレビ受像機１５０が有するチューナと、外部入力とを含む。外部入力は、たとえば、携帯電話１００が接続される入力端子と、ビデオレコーダが接続される入力端子を含む。
【００７３】
（５）テレビ受像機１５０の輝度値を変更するための制御信号。
【００７４】
このフラッシュメモリ１３６に記録された出力制御プログラムが、読み出されて制御部１０１で実行される。なお、制御部１０１で実行される出力制御プログラムはフラッシュメモリ１３６に記憶されて流通する例を示すが、他の記録媒体、たとえば、フレキシブルディスク、カセットテープ、ＣＤ−ＲＯＭ、ハードディスク、光ディスク（ＭＯ（Magnetic Optical Disc）／ＭＤ（Mini Disc）／ＤＶＤ（Digital Versatile Disc））、ＩＣカード（メモリカードを含む）、光カード、マスクＲＯＭ、ＥＰＲＯＭ、ＥＥＰＲＯＭ、フラッシュＲＯＭなどの半導体メモリ等の固定的にプログラムを担持する媒体でもよい。
【００７５】
また、ここでいうプログラムは、ＣＰＵにより直接実行可能なプログラムだけでなく、ソースプログラム形式のプログラム、圧縮処理されたプログラム、暗号化されたプログラム等を含む。
【００７６】
図３は、制御部で実行される出力制御処理の流れを示すフローチャートである。図３を参照して、映像処理部１１５から記憶部１１３に記憶された動画像が出力されているか否かを判断する（ステップＳ０１）。出力されている場合にはステップＳ０２へ進み、そうでない場合には処理を終了する。すなわち、出力制御処理は、携帯電話１００からテレビ受像機１５０に動画像が出力されている場合に実行される処理である。ここでは、動画像が出力される例を示すが、動画像とともに、または、動画像に代えて音声が出力されてもよい。
【００７７】
ステップＳ０２では、通信制御部１０５により着信が検出されたか否かが判断される。着信は、通信制御部１０５で接続要求信号が受信されたか否かにより判断される。接続要求信号の受信は、通話の開始を要求する着呼信号の受信と、電子メールの受信とを含む。着信があった場合にはステップＳ０３に進む、着信がない場合にはステップＳ０１に戻る。電子メールが受信された場合には、受信した電子メールが記憶部１１３に記憶される。
【００７８】
なお、ステップＳ０２でステップＳ０３に進む場合は、受信された接続要求信号が、予め定められた相手先からのものであることを条件としてもよい。すなわち、予め定めた相手先からの着呼信号、または、予め定めた発信者からの電子メールの受信の場合にステップＳ０３以降の処理が実行されることになる。これにより、接続要求信号が予め定められた相手先からのものでない場合は、ステップＳ０３以降の処理が実行されないので、ユーザは継続して動画像を視聴することができる。
【００７９】
ステップＳ０３では、映像処理部１１５を制御して、出力中の動画像を出力するのを停止させる。そして、その停止位置を記憶部１１３に記憶する（ステップＳ０４）。さらに、赤外線通信部１４０に制御信号を出力させる（ステップＳ０５）。ここで出力する制御信号は、上述した制御信号のいずれであってもよい。上述した制御信号を１つ出力するようにしてもよいし、それらの２つ以上を組み合わせて出力するようにしてもよい。たとえば、音量を低下させる制御信号と、輝度を低下させる制御信号とを出力するようにしてもよい。ここでは、テレビ受像機１５０の電源をオフする制御信号を出力する場合を例に説明する。
【００８０】
ステップＳ０５で制御信号が出力されると、その制御信号を受信したテレビ受像機１５０は、電源をオフにする。これにより、テレビ受像機１５０を見ていたユーザは、携帯電話１００で着信があったことを知ることができる。
【００８１】
そして、ステップＳ０６では、ステップＳ０２における着信が電子メールの受信か否かが判断される。電子メールが受信された場合にはステップＳ１４に進み、そうでない場合にはステップＳ０７に進む。
【００８２】
ステップＳ０７に進む場合には、音声通話の着呼、または、テレビ電話の着呼の場合である。ステップＳ０７では、ユーザが、着呼を受付けて通話を開始するための指示を操作ボタン１３１Ａから入力（着呼受付）したか否かが判断される。着呼受付された場合にはステップＳ０８に進み、そうでない場合には、ステップＳ１５に進む。ステップＳ０７からステップＳ１５に進む場合は、ユーザが着呼を受付けるが通話を保留する指示を操作ボタン１３１Ａから入力（通話保留）する場合、またはユーザが着呼を無視して着呼が終了する場合である。
【００８３】
ステップＳ０８では、着信がテレビ電話の着呼であるか否かが判断される。テレビ電話の着呼の場合にはステップＳ１０に進み、そうでない場合にはステップＳ０９に進む。ステップＳ０９に進む場合には、着信が音声通話の着呼である。この場合には、音声の通話が実行される。
【００８４】
ステップＳ１０に進む場合には、着信がテレビ電話の着呼の場合である。この場合は、表示設定がされているか否かが判断される。表示設定とは、テレビ電話の通信により発呼者側から送信されてきた画像を、映像入出力部１３８から出力する設定をいう。この表示設定は、携帯電話１００のユーザが操作ボタン１３１Ａを操作して設定され、ＥＥＰＲＯＭ１０２等に予め記憶されている。表示設定がされている場合には、ステップＳ１１に進み、表示設定されていない場合にはステップＳ１２へ進む。ステップＳ１１およびステップＳ１２では、通信制御部１０５によるテレビ電話の通信が実行される。すなわち、発呼者側から送信される画像が内側液晶表示装置１２７Ａまたは外側液晶表示装置１２７Ｂから出力され、音声がスピーカ１２５から出力される。さらに、携帯電話１００からは、マイク１３３に入力された音声と、内部カメラ１２９Ａまたは外部カメラ１２９Ｂで撮影されて得られる画像が発呼者側に送信される。
【００８５】
ステップＳ１１では、発呼者側から送信されてきた画像が、内側液晶表示装置１２７Ａまたは外側液晶表示装置１２７Ｂに加えて、映像入出力部１３８から出力される。これにより、発呼者側から送信された画像がテレビ受像機１５０で表示される。一方ステップＳ１２では、発呼者側から送信されてきた画像は、映像入出力部１３８から出力されることなく、内側液晶表示装置１２７Ａまたは外側液晶表示装置１２７Ｂでのみ表示される。
【００８６】
次のステップＳ１３では、通話が終了したか否かが判断される。通話の終了は、通話を終了させる指示が受付けられたか否かにより判断される。通話を終了させる指示は、通信を終了させるための信号が発呼者側から送信されてきた場合、または、携帯電話１００のユーザが操作ボタン１３１Ａから通話の終了を指示するボタンを押下した場合に受付けられる。
【００８７】
一方ステップＳ１４に進む場合には、ステップＳ０２における着信が電子メールの受信であった。この場合、受信された電子メールが記憶部１１３に記憶されているので、ステップＳ１４では、受信された電子メールがユーザにより閲覧されたか否かが判断される。閲覧された場合にはステップＳ１５に進み、閲覧されるまで待機状態となる。なお、待機状態とすることなく、ユーザが所定の指示を入力することにより、ステップＳ１５に進むようにしてもよい。
【００８８】
ここで、ステップＳ０２で受信された着信に対応したユーザの終了指示には、着信が電子メールの受信の場合におけるステップＳ１４の電子メールの閲覧を含む。また、この終了指示は、着信が音声通話の着呼信号の受信またはテレビ電話の着呼信号の受信の場合は、ステップＳ１３における通話の終了指示の受付、および、ステップＳ０７における通話保留と着呼を無視して着呼が終了する場合を含む。
【００８９】
ステップＳ１５では、テレビ受像機１５０を元の状態に復帰させるための制御信号を赤外線通信部１４０に出力させる。元の状態に復帰させるための制御信号とは、ステップＳ０５で出力した制御信号と逆の制御信号である。ステップＳ０５では、テレビ受像機１５０の電源をオフにしたので、これと逆の電源をオンにするための制御信号が出力される。これにより、テレビ受像機１５０の電源がオンとなる。
【００９０】
ステップＳ０５で、テレビ受像機１５０の音量を小さくする制御信号が出力された場合には、ステップＳ１５では音量を大きくする制御信号が出力される。ステップＳ０７で、テレビ受像機１５０が有するチューナのチャンネルを変更する、または入力先を変更する制御信号が出力された場合には、ステップＳ１５ではチャンネルまたは入力先を元に戻す制御信号が出力される。ステップＳ０５でテレビ受像機１５０の輝度値を低くするための制御信号が出力された場合には、ステップＳ１５では輝度値を高くするための制御信号が出力される。
【００９１】
次のステップＳ１６では、ステップＳ０４にて記憶した停止位置を読出し、映像処理部１１５にその停止位置から動画像を出力させる。これにより、テレビ受像機１５０からは、ステップＳ０５で停止した動画像が、その停止位置から続けて出力される。これにより、ユーザは、出力が中止された動画像の位置を探す必要がない。なお、停止位置からではなく、先頭位置から動画像を出力させるようにしてもよい。これにより、動画像を再度視聴したいときには、ユーザがいちいち動画の先頭位置から出力させる指示を行わなければならないといった煩雑さを回避でき、使い勝手を格段に向上させることができる。
【００９２】
ステップＳ１７では、映像処理部１１５による動画像の出力が終了したか否かが判断される。終了した場合にはステップＳ１８に進み、そうでない場合にはステップＳ０１に戻る。ステップＳ１８では、赤外線通信部１４０にテレビ受像機１５０の電源をオフするための制御信号を出力させる。これによりテレビ受像機１５０の電源がオフとなる。動画像の再生が終了した場合には、テレビ受像機１５０をオンにしておく必要はない。動画像の再生が終了した場合に、テレビ受像機１５０の電源がオフとなるので、携帯電話１００のユーザはテレビ受像機１５０を操作する必要はない。
【００９３】
以上説明した携帯電話１００は、映像入出力部１３８がフラッシュメモリ１３７に記録された動画像を出力すると、テレビ受像機１５０でその動画像が表示される。この状態で着信があると、テレビ受像機１５０の電源がオフとなる、音量が小さくなる、輝度が低くなる、または、チャンネルもしくは入力先が切換えられる。このため、ユーザが特別の操作をすることなく、携帯電話１００の着信に合せてテレビ受像機１５０の状態を切換えることができる。
【００９４】
また、携帯電話１００は、動画像を出力してテレビ受像機１５０でその動画像が表示されている状態で、着信があると、映像処理部１１５がテレビ受像機１５０への動画像の出力を中止する。これにより、動画像の出力よりも着信が優先される。このため、テレビ受像機１５０が動画像を出力することにより無線通信に悪影響を与えるのを防止することができる。
【００９５】
さらに、テレビ受像機１５０の電源がオフとなる、音量が小さくなる、輝度が低くなる、または、チャンネルもしくは入力先が切換えられるので、ユーザが特別の操作をすることなく、テレビ受像機１５０の状態を無線通信に適した状態にすることができる。
【００９６】
テレビ受像機１５０の電源をオフにすることにより、着信があったことをユーザに聴覚情報で知らせることができ、また、通話に適した静かな環境にすることができる。テレビ受像機１５０のチャンネルまたは入力先を切換えることで、着信があったことをユーザに知らせることができ、テレビ受像機１５０の音量を小さくすることにより、着信があったことをユーザに聴覚情報で知らせることができ、通話に適した静かな環境にすることができる。テレビ受像機１５０の輝度を低くすることにより、着信があったことをユーザに視覚情報で知らせることができる。
【００９７】
携帯電話１００は、テレビ電話の通話の場合に受信される画像をテレビ受像機１５０で表示させることができる。このため、テレビ受像機１５０をテレビ電話の通話に用いることができる。
【００９８】
さらに、携帯電話１００は、テレビ電話の通話の場合に受信される画像をテレビ受像機１５０に出力するか否かをユーザが予め設定可能なので、テレビ電話の通話の場合に受信される画像がユーザの意思に反してテレビ受像機１５０で表示されることがない。
【００９９】
さらに、携帯電話１００は、音声通話の着呼、またはテレビ電話の着呼に対応する通話の終了指示された場合、または受信された電子メールが閲覧された場合に、出力が中断された動画像を、中断した位置から出力する。このため、ユーザは続きから動画像を見ることができる。
【０１００】
さらに、携帯電話１００は、音声通話の着呼、またはテレビ電話の着呼に対応する通話の終了指示された場合、または受信された電子メールが閲覧された場合に、テレビ受像機の状態を元の状態とする制御信号を出力する。このため、着信により状態が切換えられたテレビ受像機１５０の状態を、テレビ受像機を操作することなく通話の終了または電子メールの閲覧後に中断前の状態に切換えることができる。
【０１０１】
尚、テレビ受像機１５０の音量がいきなり元の音量で出力されると大きいこともあることから、通話の終了または電子メールの閲覧後に中断前の状態に切換える際に、テレビ受像機１５０の音量を段階的に大きくしたり、以前の音量が大きく設定されていても、切換え時に予め設定されている基準の音量で出力したりすることで更に利便性が向上する。
【０１０２】
図４は、制御部で実行される出力制御処理の流れを示す別のフローチャートである。図４を参照して、図３に示した出力制御処理と異なるところは、図３におけるステップＳ０７の処理を削除し、ステップＳ０２とステップＳ０３との間に、ステップＳ０７に相当するステップＳ２１を挿入した点である。その他の処理は同様であるのでここでは説明を繰返さない。ステップＳ２１に進む場合には、通信制御部１０５により着信が検出された場合である。ステップＳ２１では、ユーザが、着呼を受付けて通話を開始するための指示を操作ボタン１３１Ａから入力（着呼受付）したか否かが判断される（尚、積極的に入力するだけでなく、所定時間内に入力がなければ何れかの処理を行う場合も含む）。着呼受付された場合にはステップＳ０３に進み、そうでない場合には、ステップＳ０１に戻る。また、ステップＳ０３に進む場合には、ステップＳ０２で電子メールが受信された場合も含む。
【０１０３】
この出力制御処理では、テレビ受像機１５０に動画像が出力されている際に、電子メールが受信された場合、まやは、音声通話の着呼またはテレビ電話の着呼があり、かつ、ユーザが着呼受付した場合に、動画像の出力が中止され、テレビ受像機１５０に制御信号が出力される。
【０１０４】
このため、音声通話の着呼またはテレビ電話の着呼があっても、ユーザが着呼受付しなければ、動画像の出力が中止されることなく、テレビ受像機１５０に制御信号が出力されることがない。このため、ユーザが着呼を無視する、または、通話保留することにより、音声通話またはテレビ電話による通話よりも、動画像の出力をユーザの意思で優先させることができる。
【０１０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０６】
【図１】本発明の実施の形態の１つにおける携帯電話１００の概観斜視図である。
【図２】携帯電話の機能を示す機能ブロック図である。
【図３】制御部で実行される出力制御処理の流れを示すフローチャートである。
【図４】制御部で実行させる出力制御処理の流れを示す別のフローチャートである。
【符号の説明】
【０１０７】
１００  携帯電話、１０１  制御部、１０３  データ処理部、１０５  通信制御部、１０７  表示制御部、１０９  入力制御部、１１１  画像処理部、１１３  記憶部、１１５  映像処理部、１１７  バス、１２１  第１の筐体、１２２  接続部、１２３  第２の筐体、１２５  スピーカ、１２７Ａ  内側液晶表示装置、１２７Ｂ  外側液晶表示装置、１２９Ａ  内部カメラ、１２９Ｂ  外部カメラ、１３１Ａ  操作ボタン、１３１Ｂ  数字ボタン、１３３  マイク、１３５  アンテナ、１３７  フラッシュメモリ、１３８  映像入出力部、１３９  挿入口、１４０  赤外線通信部、１５０  テレビ受像機、１５１  ケーブル。
【図１】
2005277729.tif 000003
【図２】
2005277729.tif 000004
【図３】
2005277729.tif 000005
【図４】
2005277729.tif 000006